(57)【要約】      （修正有）【課題】軽量で簡素な構造とすることで、気軽に持ち運びができ、かつ、紙片が傷まない構造の財布を提供する。【解決手段】財布１０は、紙幣より大きい矩形状を有し、長手方向に２つ折り可能に形成された樹脂製のベースシート２０と、ベースシートの横幅の略１／２よりもわずかに短い横幅と、ベースシートの縦幅よりもわずかに短い縦幅とを有する略矩形状の樹脂製の抑えシート３０とを具備する。抑えシートは紙幣よりも小型のカードを内側から外側に向かって長手方向と平行な向きに挿入可能なスリット３２を有し、紙幣をベースシートと抑えシートとの間に収容するために、その一辺がベースシートの一方の短辺２１ｃに接続され、他辺がベースシートの一方の長辺２１ｂに接続される。【選択図】図１
0003225684.tif 000002
【実用新案登録請求の範囲】
【請求項１】
紙幣を出し入れ自在に収納する財布において、
前記紙幣より大きい矩形状を有し、長手方向に２つ折り可能に形成された樹脂製のベースシートと、
前記ベースシートの横幅の略１／２よりもわずかに短い横幅と、前記ベースシートの縦幅よりもわずかに短い縦幅とを有する略矩形状の樹脂製の抑えシートとを具備し、
前記抑えシートは前記紙幣よりも小型のカードを内側から外側に向かって前記長手方向と平行な向きに挿入可能なスリットを有し、前記紙幣を前記ベースシートと前記抑えシートとの間に収容するために、その一辺が前記ベースシートの一方の短辺に接続され、他辺が前記ベースシートの一方の長辺に接続される、財布。
【請求項２】
前記抑えシートと略同一形状および寸法を有する他の抑えシートをさらに具備し、
前記他の抑えシートは前記紙幣よりも小型のカードを内側から外側に向かって前記長手方向と平行な向きに挿入可能なスリットを有し、その一辺が前記ベースシートの他方の短辺に接続され、他辺が前記ベースシートの一方の長辺に接続される、請求項１記載の財布。
【請求項３】
前記ベースシートの横幅の略１／２よりも短い横幅と、前記ベースシートの縦幅よりも短い縦幅とを有するフラップシートをさらに具備し、
前記フラップシートは、前記ベースシートの一方の短辺側において、前記ベースシートの他方の長辺に接続される、請求項１に記載の財布。
【請求項４】
前記フラップシートの前記ベースシートの他方の短辺側の端部は、前記抑えシートの前記ベースシートの他方の短辺側の端部よりも、前記一方の短辺側に位置する、請求項３に記載の財布。
【請求項５】
前記ベースシートの横幅の略１／２よりもわずかに短い横幅と、前記ベースシートの縦幅よりもわずかに短い縦幅とを有する略矩形状のポケットをさらに具備し、
前記ポケットは、前記ベースシートの他方の短辺と前記ベースシートの一方の長辺とに接続される、請求項１に記載の財布。
【考案の詳細な説明】
【技術分野】
【０００１】
本考案は、簡易な構造を有する財布に関する。
【背景技術】
【０００２】
紙幣（紙片）を携帯する際、折り目をつけずに収容する横長形状の財布が広く用いられている（例えば、特許文献１参照。）。財布は、紙幣より大型で比較的丈夫な素材である天然皮革や合成皮革で形成された外殻を有し、この外殻の中に、紙幣やチケットを挟み込む仕切材が設けられている。仕切材の他、小銭を収納する袋状の部屋やカード類を収納するスリット等を有している場合もある。
【０００３】
財布は、横長形状のまま携帯するものと、長手方向の中間部で折り曲げて携帯するものとがあり、いずれも紙幣等の全体を保護する機能を有している。
【０００４】
一方、紙幣類を簡易に携帯する器具として、マネークリップが知られている（例えば、特許文献２参照。）。マネークリップは、折り畳んだ紙幣を挟む金属片等から構成されており、比較的低コストで製造できる。
【先行技術文献】
【特許文献】
【０００５】
【特許文献１】特開２０００−３０８５１０号公報
【特許文献２】特開２００７−１３７００９号公報
【考案の概要】
【考案が解決しようとする課題】
【０００６】
上述した紙幣の携帯方法にあっては、次のような問題があった。財布や札入れの場合は、外殻に丈夫な皮革類を用いるため、製造コストが高く、また、カード類の収納部を備えていると重くなると共に嵩張る。一方、マネークリップは簡素な構造であるため、紙幣が露出し、紙幣が傷みやすい。紙幣は外縁が折れ曲がると自動販売機等に挿入する際にトラブルが生じやすく、不便である。
【０００７】
近年、日本に来訪する外国人観光客が増加している。外国人観光客はホテル等の滞在先に財布は置いておき、数枚の紙幣・チケット等の紙片やクレジットカードやプリペイドカード等のカード類だけ持って食事や買い物に出かけたいという要請が増えている。外国人観光客に限らず、ジョギング等のアウトドアスポーツに簡素な財布を携帯したいという要望もある。このようなとき、財布は重く、またマネークリップは紙幣が傷みやすいという問題があった。
【０００８】
本考案は以上のような事情によってなされたもので、軽量で簡素な構造とすることで、気軽に持ち運びができ、かつ、紙片が傷まない構造の財布を提供することを目的とする。
【課題を解決するための手段】
【０００９】
本実施形態に係る財布は、紙幣より大きい矩形状を有し、長手方向に２つ折り可能に形成された樹脂製のベースシートと、ベースシートの横幅の略１／２よりもわずかに短い横幅と、ベースシートの縦幅よりもわずかに短い縦幅とを有する略矩形状の樹脂製の抑えシートとを具備する。抑えシートは紙幣よりも小型のカードを内側から外側に向かって長手方向と平行な向きに挿入可能なスリットを有し、紙幣をベースシートと抑えシートとの間に収容するために、その一辺がベースシートの一方の短辺に接続され、他辺がベースシートの一方の長辺に接続される。
【考案の効果】
【００１０】
本考案においては、軽量で簡素な構造とすることで、気軽に持ち運びができ、かつ、紙片が傷まない構造とすることができる。
【図面の簡単な説明】
【００１１】
【図１】図１は本考案の第１の実施の形態に係る財布を示す斜視図である。
【図２】図２は同財布を示す正面図である。
【図３】図３は同財布に紙幣とカードを収納した状態を示す斜視図である。
【図４】図４は同財布に紙幣とカードを収納し、折り畳んだ状態を示す上面図である。
【図５】図５は本考案の第２の実施の形態に係る財布を示す斜視図である。
【図６】図６は同財布を示す正面図である。
【図７】図７は同財布に紙幣とカードを収納した状態を示す斜視図である。
【図８】図８は同財布から紙幣を取り出す様子を示す斜視図である。
【図９】図９は本考案の第３の実施の形態に係る財布を示す斜視図である。
【図１０】図１０は同財布を示す正面図である。
【考案を実施するための形態】
【００１２】
以下、本考案の好ましい実施形態に従う財布について、添付図面を参照しながら詳しく説明する。なお、各図中Ｂは紙幣（紙片）を示しているが、紙片であれば紙幣に限られずチケット類でも良い。また、Ｃはカードを示しており、クレジットカードのようなプラスチックカードの他、プリペイドカードや会員証等の紙幣Ｂよりも小型のカードも含まれている。
【００１３】
（第１実施形態）  
図１は本考案の第１の実施の形態に係る財布を示す斜視図、図２は財布を示す正面図である。図１中１０は、紙幣Ｂを出し入れ自在に収納する樹脂シート製の財布を示している。樹脂シートとしては、例えばポリプロピレン等のように紙幣Ｂが滑りにくい素材のシートや、滑りにくいように加工された他の樹脂シートでもよい。また、主原料を石灰石としたストーンペーパーで作成されてもよい。
【００１４】
図１及び図２に示すように、財布１０は、紙幣Ｂより大型な横長の矩形状に形成されたベースシート２０と、このベースシート２０と一体に形成された抑えシート３０及び抑えシート（他の抑えシート）４０を備えている。これらベースシート２０、抑えシート３０、４０は、典型的には、一枚の樹脂シートから切り出されて形成される。横長の樹脂シートを略４等分した、中央の２つの区画部分がベースシート２０に相当し、両端の区画部分が抑えシート３０，４０に相当する。
【００１５】
財布１０は、横長の樹脂シートの両端部分を内側に折り返し、ベースシート２０の下辺に対して抑えシート３０、４０の下辺をそれぞれ溶着することで形成されるものである。もちろん、ベースシート２０と、抑えシート３０、４０とが各別の部品であってもよく、ベースシート２０と抑えシート３０，４０とが異なる素材で形成されたものであってもよい。なお、図中においてベースシート２０の右側の区画を右側シート２１、左側の区画を左側シート２２として両者を区別する。財布１０は、右側シート２１と左側シート２２とが対向するように長手方向に２つ折り可能に形成されている。また、後述する右側シート２１の上辺２１ａと左側シート２２の上辺２２ａがベースシート２０の一方の長辺を構成し、右側シート２１の下辺２１ｂと左側シート２２の下辺２２ｂがベースシート２０の他方の長辺を構成する。
【００１６】
右側シート２１は矩形状に形成され、上辺２１ａ、下辺２１ｂ、右辺（一方の短辺）２１ｃを有している。同様に、左側シート２２は矩形状に形成され、上辺２２ａ、下辺２２ｂ、左辺２２ｃを有している。
【００１７】
右側シート２１には抑えシート３０が積層配置されている。抑えシート３０は、右側シート２１よりやや小型の略矩形状のシート３１を備えている。シート３１は、その１辺が右側シート２１の下辺２１ｂに接続され、他辺が右辺２１ｃに接続されている。シート３１にはスリット３２が形成されており、スリット３２からカードＣを差し込むことができる。なお、スリット３２は、典型的には右辺２１ｃと平行に形成されている。スリット３２の形状は、線状であってもよいし、長円形状であってもよい。なお、スリット３２は、右側シート２１の右上から左下に向かってやや斜めに形成しても良い。それにより、カードをスリット３２に差し込みやすくするといった効果がある。
【００１８】
典型的には、シート３１は、横長の樹脂シートを略４等分した、右端の区画部分に相当し、横長の樹脂シートの右側部分を折り曲げることにより右側シート２１の上に積層される部分である。シート３１の下辺が右側シート２１の下辺２１ｂに接合される。シート３１と右側シート２１の下辺２１ｂとの接合部３３は強度を増すために溶着されている。
【００１９】
左側シート２２には抑えシート４０が積層配置されている。抑えシート４０は、左側シート２２よりやや小型の略矩形状のシート４１を備えている。シート４１は、その１辺が左側シート２２の下辺２２ｂに接続され、他辺が左辺（他方の短辺）２２ｃに接続されている。シート４１にはスリット３２が形成されており、スリット３２からカードＣを差し込むことができる。なお、スリット４２は左辺２２ｃと平行に形成されているが、スリット３２と同様に、やや斜めに形成しても良い。
【００２０】
典型的には、シート４１は、横長の樹脂シートを略４等分した、左端の区画部分に相当し、横長の樹脂シートの左側部分を折り曲げることにより左側シート２２の上に積層される部分である。シート４１の下辺が左側シート２２の下辺２２ｂに接合される。シート４１と左側シート２２の下辺２２ｂとの接合部４３は強度を増すために溶着されている。
【００２１】
このように構成された財布１０は、図３及び図４に示すようにして用いる。図３は財布１０に紙幣とカードを収納した状態を示す斜視図、図４は財布１０に紙幣とカードを収納した状態を示す上面図である。
【００２２】
財布１０において、ベースシート２０と抑えシート３０、４０との間の間隙は、紙幣Ｂを出し入れするための出し入れ口を構成する。出し入れ口から挿入された紙幣Ｂは、ベースシート２０と、抑えシート３０、４０との間に挟持され、保持される。ベースシート２０と、抑えシート３０，４０は、いずれもポリプロピレン材であることから滑りにくく、紙幣Ｂが出し入れ口から抜け出る可能性を低くすることができる。ベースシート２０の上辺に対して抑えシート３０、４０の上辺が下方に位置することは、紙幣Ｂの出し入れを容易にする効果がある。
【００２３】
一方、スリット３２，４２にカードＣを適宜挿入することができる。カードＣは、横向きに、内側から外側に向かってスリット３２，４２に挿入される。それにより、図４に示すように、財布１０を折り畳んだ状態で、カードＣの先端が内側を向くため、カードＣがスリット３２，４２から抜け出る可能性を低くすることができる。このようなカードＣを保持する構造を採用することにより、以下の効果も発揮される。すなわち、カードＣを挿入することで、カードＣと紙幣Ｂとが直接接触することにより、カードＣと紙幣Ｂとの間に摩擦力が生じ、カードＣが滑り止めとして機能するため、財布１０の紙幣Ｂ及びカードＣを保持する保持力を増加させることができる。特に、折り畳んだ状態で、カードＣは紙幣Ｂをベースシート２０に押し付ける押付具としても機能するため、紙幣Ｂが財布１０から抜け出てしまう可能性をさらに低減することができる。財布１０の紙幣Ｂを収容する収容部として機能するベースシート２０と抑えシート３０との間には紙幣Ｂを狭持するためにマチがほぼない。そのため、収容する紙幣Ｂの枚数が多くなるほど、収容部が紙幣Ｂ及びカードＣを保持する保持力は低下する。上記のように、カードＣを押付具として機能させることで、保持力の低下を抑制することができる。
【００２４】
また、上述したように財布１０に収容された紙幣Ｂは、ベースシート２０及びシート３１，４１によって両面を保持されると共に、財布１０を折り畳むことで、各面及び各辺が外部に露出することが無いため、十分に保護することができる。ベースシート２０及びシート３１，４１を、一枚のシートから切り出した上で、強度の必要な箇所を溶着するだけで製造することができるため、低コストで製造できると共に、軽量となり、携帯に適している。また、ベースシート２０とシート３１，４１との大きさの違いにより、紙幣Ｂの一部が見えるため、紙幣Ｂを容易に取り出すことができる。
【００２５】
このように、本実施形態に係る財布１０は、軽量で簡素な構造とすることで、気軽に持ち運びができ、かつ、紙片が傷まない構造とすることができる。なお、抑えシート３０，４０はいずれか一方のみでも良い。
【００２６】
（第２実施形態）  
図５は本考案の第２の実施の形態に係る財布１０Ａを示す斜視図、図６は財布１０Ａを示す正面図である。なお、これらの図において、図１〜図４と同一機能部分には同一符号を付し、その詳細な説明は省略する。
【００２７】
財布１０Ａは、第１実施形態に係る財布１０の右側シート２１の上辺２１ａに、フラップシート５０を一体に形成したものである。フラップシート５０は、右側シート２１よりも幅が狭い略半円形状を有し、その基端部（平坦側）が右側シート２１の上辺２１ａの中央に接続される。フラップシート５０の先端側（右側シート２１の上辺２１ａと接続されていない側）の角は丸められている。なお、典型的には、小型シート５１は、ベースシート２０と別部品であり、補強のために右側シート２１の上辺２１ａとの接合部５２が補強のために溶着されている。もちろん、小型シート５１はベースシート２０と一体的に形成されてもよい。
【００２８】
図５に示すように、小型シート５１の下端側（先端側）は、シート３１の上端側よりも下方に位置しており、小型シート５１とシート３１は部分的に重なっている。また、小型シート５１の左端は、シート３１の左端と同じ位置又はそれよりも僅かに右側（外側）に位置する。僅かな位置の差を設けた場合、フラップシート５０と抑えシート３０の使い分けが容易となり、財布１０Ａに紙幣Ｂを挿入しやすくするといった効果が発揮される。
【００２９】
このように構成された財布１０Ａは、図７及び図８に示すようにして用いる。図７は財布１０Ａに紙幣ＢとカードＣを収納した状態を示す斜視図、図８は財布１０Ａから紙幣Ｂを取り出す様子を示す斜視図である。
【００３０】
ユーザが財布１０Ａに紙幣Ｂを収容するとき、ユーザはフラップシート５０を上に開いて紙幣Ｂをベースシート２０とシート３１，４１との間に挿入する。フラップシート５０は手を離すと自然に閉じて、シート３１に重なる。このようにフラップシート５０を設けることにより、紙幣Ｂの上端はフラップシート５０に突き当たるため、意図せずに紙幣Ｂが財布１０Ａから抜け出てしまう可能性を第１実施形態に係る財布１０よりも低減することができる。
【００３１】
財布１０Ａから紙幣Ｂを取り出す場合には、図８に示すように、ユーザの手Ｈでシート３１，４１の間の中央の隙間から紙幣Ｂを取り出すことができるため、フラップシート５０を持ち上げる必要がない。このとき、フラップシート５０の左下端の角部及びシート３１の左上の角部は丸められているため、シートによって紙幣Ｂが傷つく可能性は低いといえる。
【００３２】
なお、フラップシート５０を使用しないユーザは、フラップシート５０をシート３１とベースシート２０との間に収容することで、財布１０Ａを第１実施形態に係る財布１０と同様に使用することができる。なお、財布１０ＡにおけるカードＣの収納については、財布１０と同様である。
【００３３】
フラップシート５０を使用した場合には、紙幣Ｂが財布１０Ａから意図せずに抜け出てしまう可能性を低減することができるが、財布１０Ａに紙幣Ｂを収容する際にフラップシート５０を手で上げておく必要があるため、第１実施形態に係る財布１０に比べて、手間がかかってしまう。紙幣Ｂの数が多いとき、紙幣Ｂの数が少ないときに比べて、財布１０Ａから意図せずに紙幣Ｂが抜け出やすい。そのため、紙幣Ｂの数が多いときには、フラップシート５０を使用し、少ないときにはフラップシート５０を使用しないといったように財布１０Ａのフラップシート５０を選択的に使い分けるとよい。
【００３４】
このように、第２実施形態に係る財布１０Ａは、第１実施形態と同様の効果を発揮する。すなわち、財布１０Ａは、軽量で簡素な構造とすることで、気軽に持ち運びができ、かつ、紙片が傷まない構造とすることができる。さらに、フラップシート５０を装備することにより、フラップシート５０を装備していない財布１０に比べて使い勝手の極端な低下を抑えながら、財布１０Ａから紙幣Ｂが意図せずに抜け出てしまう可能性を低減することができる。なお、フラップシート５０は、抑えシート４０側に設けても良い。
【００３５】
（第３実施形態）  
図９は本考案の第３の実施の形態に係る財布１０Ｂを示す斜視図、図１０は財布１０Ｂを示す正面図である。なお、これらの図において、図１〜図８と同一機能部分には同一符号を付し、その詳細な説明は省略する。
【００３６】
財布１０Ｂは、上述した財布１０Ａにおいて、抑えシート４０の代わりにポケット６０を設けたものである。ポケット６０は、左側シート２２よりやや小型の袋体６１を備えている。袋体６１は、左側シート２２の下辺２２ｂ及び左辺（他方の短辺）２２ｃに接続されている。袋体を構成する２枚のシートのうち裏面側のシートの上端にはポケットフラップ６２が一体的に形成されており、スナップボタンあるいは面ファスナ等により、袋体６１の開口を閉じることができる。なお、袋体６１と左側シート２２の下辺２２ｂとの接合部６３は強度を増すために溶着されている。
【００３７】
このような財布１０Ｂは、上述した財布１０や財布１０Ａと同様に紙幣ＢとカードＣを収容することができる。さらに、ポケット６０には鍵や小銭を入れることが可能である。
【００３８】
このように、本実施形態に係る財布１０Ｂは、軽量で簡素な構造とすることで、気軽に持ち運びができ、かつ、紙片が傷まない構造とすることができる。なお、ポケット６０は、抑えシート３０側に設けても良い。
【００３９】
以上、本開示にて実施形態を単に例示として詳細に説明したが、本考案の新規な教示及び有利な効果から実質的に逸脱せずに、その実施の形態には多くの改変例が可能である。
【符号の説明】
【００４０】
１０，１０Ａ，１０Ｂ…財布、２０…ベースシート、２１…右側シート、２１ａ…上辺、２１ｂ…下辺、２１ｃ…（一方の短辺）、２２…左側シート、２２ａ…上辺、２２ｂ…下辺、２２ｃ…左辺（他方の短辺）、３０…抑えシート、３１…シート、３２…スリット、３３…接合部、４０…抑えシート（他の抑えシート）、４１…シート、４２…スリット、４３…接合部、５０…フラップシート、５１…小型シート、５２…接合部、６０…ポケット、６１…袋体、６２…ポケットフラップ、６３…接合部、Ｂ…紙幣、Ｃ…カード、Ｈ…手。
【図１】
0003225684.tif 000003
【図２】
0003225684.tif 000004
【図３】
0003225684.tif 000005
【図４】
0003225684.tif 000006
【図５】
0003225684.tif 000007
【図６】
0003225684.tif 000008
【図７】
0003225684.tif 000009
【図８】
0003225684.tif 000010
【図９】
0003225684.tif 000011
【図１０】
0003225684.tif 000012